(57)【要約】【課題】吸収体に移行した体液がこの吸収体の周縁部から漏れること、及び、吸収体がよれることにより使用者に不快感を与えることを防止でき、且つ、使用者膣口部の形状変化に対する追従能が高い吸収性物品を提供する。【解決手段】生理用ナプキン１は、液透過性のトップシート１０と液不透過性のバックシート２０との間に吸収体３０を備える。この吸収体３０の周縁部は、トップシート１０の上面から圧着されてなる圧着部４０を介して、トップシート１０と一体化されており、この圧着部４０は、使用時に使用者の膣口に対向する膣口対向部位の周囲を除いて設けられている。【選択図】図１
2007089819.tif 000002
【特許請求の範囲】
【請求項１】
液透過性のトップシートと液不透過性のバックシートとの間に吸収体を備える吸収性物品であって、
前記吸収体の周縁部は、前記トップシートの上面から圧着されてなる圧着部を介して、前記トップシートと一体化されており、
前記圧着部は、使用時に使用者の膣口に対向する膣口対向部位の周囲を除いて設けられている吸収性物品。
【請求項２】
前記吸収体は、前記周縁部のうちの前記圧着部が除かれている部位に、前記トップシートを伴わずに圧縮して形成されるエンボス部が設けられている請求項１記載の吸収性物品。
【請求項３】
前記吸収性物品の長手方向において、前記膣口対向部位を跨ぐように、弾性伸縮部材が設けられている請求項１記載の吸収性物品。
【発明の詳細な説明】
【技術分野】
【０００１】
本発明は、経血やおりもの等の体液を吸収するための生理用ナプキン、パンティライナー、失禁パッド等の吸収性物品に関する。
【背景技術】
【０００２】
従来から、液透過性トップシートと液不透過性バックシートとの間に吸収体を備える吸収性物品（例えば、経血やおりもの等を吸収するための生理用ナプキン、パンティライナー、失禁パッド）として、以下のような構成が知られている。
【０００３】
第１番目の吸収性物品は、吸収体の周縁部が、トップシートの上面から圧着されてなる圧着部を介して、前記トップシートと一体化されている。この圧着部に囲まれる形で、縦方向に長く延びる隆起部が形成されている。また、この吸収性物品は、前記隆起部における後方部分において、トップシートと吸収体との間にクッション層を備えている（特許文献１参照）。
【０００４】
この吸収性物品によれば、吸収体の周縁部を、圧着部を介してトップシートと一体化したので、吸収体に移行した体液がこの吸収体の周縁部から漏れること、及び、吸収体がよれることにより使用者に不快感を与えることを防止できる。
また、隆起部後方にクッション層を設けたので、このクッション層が設けられた部位がより大きく隆起する。このため、このクッション層の部位が使用者の臀裂部に密着するので、吸収性物品後縁部からの体液漏れを緩和できる。
【０００５】
第２番目の吸収性物品は、この幅方向両端に、使用時に使用者の肌側に起立するギャザーカフスを備える。このギャザーカフスは、使用時に使用者の膣口に対向する膣口対向部位を跨ぐように設けられている。また、吸収体の周縁部は、前記トップシートの上面から圧着されてなる圧着部を介して、前記トップシートと一体化されている。この圧着部は、膣口対向部位の周囲において、この膣口対向部位の前後領域におけるよりも、吸収性物品の幅方向外側に膨出して形成されている（特許文献２参照）。
【０００６】
この吸収性物品によれば、吸収体の周縁部を、圧着部を介してトップシートと一体化したので、吸収体に移行した体液がこの吸収体の周縁部から漏れること、及び、吸収体がよれることにより使用者に不快感を与えることを防止できる。
また、使用者の肌側に起立するギャザーカフスを、膣口対向部位を跨ぐように設けた。ここで、膣口対向部位の周囲において吸収性物品の幅方向外側に膨出するように圧着部を形成したので、ギャザーカフスに引っ張られる形で、膣口対向部位の近傍が使用者の膣口側に膨らむ。このため、膣口対向部位が膣口に密着するから、吸収性物品からの体液漏れを緩和できる。
【０００７】
第３番目の吸収性物品は、トップシートと吸収体との間に、トップシート側に頂点が配された略三角形状の横断面を有するサブ吸収体が設けられている（特許文献３参照）。
【０００８】
この吸収性物品によれば、トップシートと吸収体との間にサブ吸収体を設けたので、サブ吸収体の形状に応じて、トップシートが使用者の肌側に起立する。このため、膣口対向部位が膣口に密着するから、吸収性物品からの体液漏れを緩和できる。
【特許文献１】特開２００３−２４３７２号公報
【特許文献２】特開２００１−９５８４２号公報
【特許文献３】特表平１１−５００９４０号公報
【発明の開示】
【発明が解決しようとする課題】
【０００９】
しかしながら、前述した特許文献１記載の吸収性物品によれば、吸収体に加えてクッション層を設けたので、圧着部において嵩を減少された吸収体及びクッション層の反発力により、トップシートが張力の大きい状態で固定される。ここで、膣口対向部位の周囲においても圧着部を設けたから、トップシートは膣口対向部位においても張りのある状態で固定される。このため、この吸収性物品は、使用者の動きにより膣口の陰唇等の形状が変化すると、膣口との間に細かな隙間を生じやすかった。
【００１０】
また、前述した特許文献２記載の吸収性物品によれば、膣口対向部位の周囲においても圧着部を設けたから、トップシートは膣口対向部位においても張力の大きい状態で固定される。このため、この吸収性物品は、使用者の動きにより膣口の陰唇等の形状が変化すると、膣口との間に細かな隙間を生じやすかった。
【００１１】
また、前述した特許文献３記載の吸収性物品によれば、サブ吸収体によって誘導された、使用者の肌側に頂点が配された略三角形状である横断面形状は、個人差の大きい陰唇の形状に対応しきれない。このため、この吸収性物品は、使用者の動きにより膣口の陰唇等の形状が変化すると、膣口との間に細かな隙間を生じやすかった。
【００１２】
このように、従来の吸収性物品においては、使用者の動きにより膣口の陰唇等の形状が変化すると、膣口との間に細かな隙間を生じやすいため、使用中における体液漏れが起こりやすいという問題があった。
【００１３】
このため、吸収体に移行した体液がこの吸収体の周縁部から漏れること、及び、吸収体がよれることにより使用者に不快感を与えることを防止できる吸収性物品において、使用者膣口部の形状変化に対する追従能の更なる向上が求められていた。
【００１４】
そこで、本発明は、吸収体に移行した体液がこの吸収体の周縁部から漏れること、及び、吸収体がよれることにより使用者に不快感を与えることを防止でき、且つ、使用者膣口部の形状変化に対する追従能が高い吸収性物品を提供することを目的とする。
【課題を解決するための手段】
【００１５】
本発明は、具体的には、以下のようなものを提供する。
【００１６】
（１）  液透過性のトップシートと液不透過性のバックシートとの間に吸収体を備える吸収性物品であって、前記吸収体の周縁部は、前記トップシートの上面から圧着されてなる圧着部を介して、前記トップシートと一体化されており、前記圧着部は、使用時に使用者の膣口に対向する膣口対向部位の周囲を除いて設けられている吸収性物品。
【００１７】
（１）の発明によれば、吸収体の周縁部を、圧着部を介してトップシートと一体化したので、吸収体に移行した体液がこの吸収体の周縁部から漏れること、及び、吸収体がよれることにより使用者に不快感を与えることを防止できる。
ここで、この圧着部を膣口対向部位の周囲には設けなかったので、膣口対向部位近傍におけるトップシートが張力の小さい状態に保たれる。このため、膣口対向部位近傍におけるトップシートの自由度は高いので、使用者膣口部の形状変化に対して追従できる。
【００１８】
また、膣口対向部位近傍における吸収体は圧縮されずに柔軟性の高い状態に保たれるから、使用者膣口部の嵩方向における形状変化に対して追従できる。
【００１９】
（２）  前記吸収体は、前記周縁部のうちの前記圧着部が除かれている部位に、前記トップシートを伴わずに圧縮して形成されるエンボス部が設けられている（１）記載の吸収性物品。
【００２０】
（２）の発明によれば、吸収体周縁部のうちの圧着部が除かれている部位に、エンボス部を形成したので、使用者から吸収性物品幅方向中心側に力が付加された場合、吸収体がこのエンボス部において屈曲することにより、シワや不規則な座屈等の発生は抑制される。このため、シワや不規則な座屈等に起因する吸収体と膣口との隙間の発生を妨げることができ、換言すれば、使用者の膣口との密着性を維持できる。
なお、このエンボス部はトップシートを伴わずに形成したので、膣口対向部位近傍におけるトップシートは張力の小さい状態に保たれる。このため、膣口対向部位近傍におけるトップシートの自由度は高いので、使用者膣口部の形状変化に対して追従できる。
【００２１】
このように、（２）の発明によれば、（１）の発明により得られる効果に加えて、使用者から吸収性物品幅方向中心側に力が付加された場合においても、使用者の膣口との密着性を維持できる。
【００２２】
（３）  前記吸収性物品の長手方向において、前記膣口対向部位を跨ぐように、弾性伸縮部材が設けられている（１）記載の吸収性物品。
【００２３】
吸収体の周縁部には圧縮部を設けたので長手方向の曲げ剛性が高いが、膣口対向部位の周辺には圧縮部を設けなかったので長手方向の曲げ剛性が低い。
ここで、（３）の発明によれば、吸収性物品の長手方向において、膣口対向部位を跨ぐように弾性伸縮部材を設けたので、弾性伸縮部材の収縮に伴って、膣口対向部位中心側に長手方向の力が付加される。このため、長手方向の曲げ剛性の差異によって、圧縮部を設けていない膣口対向部位近傍におけるトップシートが使用者の膣口側に隆起する。弾性伸縮部材が伸縮することで、この隆起が膣口の陰唇等の形状の変化に応じて調節されるので、使用者膣口部の形状変化に対してより追従できる。
【発明の効果】
【００２４】
本発明によれば、次のような効果が得られる。
吸収体の周縁部を、圧着部を介してトップシートと一体化したので、吸収体に移行した体液がこの吸収体の周縁部から漏れること、及び、吸収体がよれることにより使用者に不快感を与えることを防止できる。
ここで、この圧着部を膣口対向部位の周囲には設けなかったので、膣口対向部位近傍におけるトップシートが張力の小さい状態に保たれる。このため、膣口対向部位近傍におけるトップシートの自由度は高いので、使用者膣口部の形状変化に対して追従できる。
【発明を実施するための最良の形態】
【００２５】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００２６】
＜第１実施形態＞
［吸収性物品の全体構成］
図１は本発明の第１実施形態の生理用ナプキン１を示すものであり、外力が作用していない自由状態を示す斜視図である。図２は、この生理用ナプキン１を平坦な状態に展開した状態を肌側表面から見た平面図である。図３は、図２のＩＩＩ−ＩＩＩ線の斜視断面図である。図４は、図２のＸ１線の斜視断面図である。図５は、生理用ナプキン１が身体に装着された状態を示す説明図である。図１９は、従来技術に係る生理用ナプキンが身体に装着された状態を示す参考図である。
【００２７】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００２８】
生理用ナプキン１（吸収性物品の一例）は、液透過性のトップシート１０と液不透過性のバックシート２０との間に吸収体３０を備える。これら各部材は、ゴム系ホットメルト型接着剤やヒートシールにより、互いに接着されている。例えば、ゴム系ホットメルト型接着剤を用いる場合、トップシート１０と吸収体３０との接着は塗布量２５ｇ／ｍ２とし、バックシート２０と吸収体３０との接着は塗布量７ｇ／ｍ２とすることができる。
【００２９】
この吸収体３０の周縁部は、トップシート１０の上面から圧着されてなる圧着部４０を介して、トップシート１０と一体化されている。ただし、この圧着部４０は、使用時に使用者の膣口に対向する膣口対向部位（後述する）の周囲（図中では便宜上、斜線領域で表示している）を除いて設けられている。
【００３０】
生理用ナプキン１の両側部には、前方において、吸収体３０の両側端部３０ｃよりも左右両側に突出した前方フラップ部４と、前方フラップ部４よりも後方において左右両側に突出した折り返しフラップ部５と、折り返しフラップ部５よりもさらに後方において、左右両側に突出した後方フラップ部６と、が設けられている。バックシート２０及びサイドシート６０は、前方フラップ部４、折り返しフラップ部５、後方フラップ部６において重ねられ、ゴム系ホットメルト型接着剤及びヒートシールにより、互いに接着されている。
【００３１】
生理用ナプキン１は、曲線形状の前縁部２と、同様に曲線形状の後縁部３とを有する縦長形状である。例えば、長手方向略中心線Ｏｙでの長さ寸法が２８０〜４５０ｍｍ（例えば、３５０ｍｍ）であり、幅方向の寸法が折り返しフラップ部５が設けられている領域において１００〜２２０ｍｍ（例えば、１７０ｍｍ）、その他の領域において７５〜１４０ｍｍ（例えば、１００ｍｍ）である。
【００３２】
吸収体３０も縦長形状であり、前縁部２よりもやや後方に位置する曲線形状の前端部３０ａ、及び、後縁部３よりもやや前方に位置する曲線形状の後端部３０ｂを有している。吸収体３０の左右両側端部３０ｃは、長手方向略中心線Ｏｙと平行な略直線形状である。
吸収体３０は、例えば、長さ方向の寸法が２４０〜４２０ｍｍ（例えば、３１５ｍｍ）で、幅方向の寸法が６０〜１１０ｍｍ（例えば、７５ｍｍ）であり、生理用ナプキン１の略中央部に設けられている。
【００３３】
生理用ナプキン１の横方向の両側部に位置するサイドシート６０の対向縁部６０ａは、吸収体３０の両側端部３０ｃよりも内側（長手方向略中心線Ｏｙ側）に位置している。吸収体３０の両側部分は、その肌側表面がトップシート１０で覆われ、さらにその表面がサイドシート６０で覆われている。サイドシート６０の対向縁部６０ａ同士で挟まれた領域には、液透過性のトップシート１０が現れており、この領域で且つ吸収体３０が設けられている部分が主な体液吸収領域となっている。
【００３４】
膣対向基準線Ｘ１は、生理用ナプキン１の前縁部２から後方へ１００〜２００ｍｍの範囲で、好ましくは前縁部２から後方へ１００〜１４０ｍｍの範囲に位置しており、例えば前縁部２から後方へ約１２０ｍｍ離れて位置している。
【００３５】
膣口対向部位とは、膣対向基準線Ｘ１と長手方向略中心線Ｏｙとの交点を略中心としたその近傍であって、使用者の膣口中心部に対向する部位を意味する。
そして、膣口対向部位の周囲とは、膣口対向部位を横方向に跨ぐ領域を少なくとも含む部位を意味する。特に限定されないが、例えば、膣口対向部位から前方３０ｍｍの地点から、後方に５０ｍｍの範囲とすることができる。
【００３６】
膣口対向部位は、この生理用ナプキン１を下着に固着させて、使用者の股間部に装着するときに、ほぼ膣口の中心に一致させる目安にもなる。この目安は、生理用ナプキンを肌側表面から見たときの全体形状や、肌側表面に形成されている圧着部４０の形状等の全体デザインによって、適宜決定できる。左右両側に突出する折り返しフラップ部５の縦方向寸法の中心を通る膣対向基準線Ｘ１は、膣口の中心部に対向させる目安とすることができる。
【００３７】
生理用ナプキン１は、バックシート２０の着衣側表面に、生理用ナプキン１を下着に固着させるためのセンター感圧接着剤層８０が設けられている（塗布量は、例えば５０ｇ／ｍ２）。そして、このセンター感圧接着剤層８０は、縦方向中心線Ｏｙの左右両側において長手方向略中心線Ｏｙと略平行に形成されている。例えば、長さ方向の寸法が２９０ｍｍ、幅方向の寸法が１５ｍｍのセンター感圧接着剤層の２本が、生理用ナプキン１の略中央部において、長手方向略中心線Ｏｙを対称軸として、幅方向に１５ｍｍの間隔をもって設けられている。
【００３８】
また、折り返しフラップ部５が形成されている領域には、バックシート２０の着衣側表面にフラップ用感圧接着剤層８２が設けられている。例えば、長さ方向の寸法が３０ｍｍ、幅方向の寸法が１５ｍｍのフラップ用感圧接着剤層が、各々のフラップの略中央部に設けられている。
【００３９】
更に、図示はしないが、後方の領域には、バックシート２０の着衣側表面に後方領域用感圧接着剤層が設けられている。例えば、長さ方向の寸法が１５ｍｍ以上２０ｍｍ以下、幅方向の寸法が１０ｍｍの後方領域用感圧接着剤層が、生理用ナプキン１の前縁部２から後方へ約２３０ｍｍ以上３００ｍｍ以下離れた位置に、長手方向略中心線Ｏｙに沿って設けられている。
【００４０】
［物性］
生理用ナプキン１は、使用者の膣口部形状変化への追従性を向上させる点で、柔軟性に優れることが好ましい。生理用ナプキン１は、下記の方法による圧縮特性試験において、４０ｇ／ｃｍ２荷重時の圧縮位相差が３ｍｍ以上である（好ましくは５ｍｍ以上）。また、ＫＥＳ圧縮特性試験機によるＷＣ（圧縮エネルギー）値は６．０以上であり（好ましくは、８．０以上）、ＬＣ（圧縮固さ）値は０．６５以下である（好ましくは０．５以下）。
【００４１】
〔圧縮特性試験〕
生理用ナプキン１の圧縮位相差、ＷＣ、ＬＣは、ＫＥＳシステムによる測定方法に準拠して、カトーテック社製の「ＫＥＳ圧縮特性」測定機器（「ＫＥＳ−５  ＨＡＮＤＹ−ＴＹＰＥ  ＣＯＭＰＲＥＳＳＩＯＮ  ＴＥＳＴＥＲ」）を用い、圧縮端子面積が２ｃｍ２（円形）、端子速度が０．１ｃｍ／秒の条件下で測定できる。生理用ナプキン１のサイズは、圧縮端子が収まる範囲のものであれば測定可能であり、特に限定されない。
【００４２】
なお、ＫＥＳの圧縮特性を一般的に現した図が図２０であり、縦軸は圧力（ｇ／ｃｍ２）を表し、横軸はサンプルに圧力を加えたときのサンプルの厚み（ｍｍ）を表している。この図２０において、曲線ｄは、サンプルに圧力を加えていく過程における圧力とサンプルの厚みとの関係をプロットしたものであり、曲線ｅは、サンプルに加えた圧力を徐々に開放していく過程における圧力とサンプルの厚みとの関係をプロットしたものである。このプロット図において、曲線ｄと曲線ｅで囲まれた領域Ｄの面積と、曲線ｅと直線ＡＣ及びＢＣで囲まれた領域Ｅの面積との和がＷＣに相当し、このＷＣを三角形ＡＢＣの面積で割った値がＬＣに相当する。また、点Ｂにおける横軸値から、点Ｃにおける横軸値を引いた値が圧縮位相差に相当する。
【００４３】
［トップシート］
トップシート１０は、液透過性であり、一般的に液親水性である。また、使用者の肌に当接するので、柔軟性に富み、風合いのよい素材が好ましく用いられる。具体的には、ポリプロピレン及びポリエチレンからなる液透過性の不織布、フィルム、多孔性プラスティックフィルム、多孔性フォーム等の化学繊維、綿等の天然繊維を挙げることができ、これらは単独で若しくは複合して、用いることができる。
【００４４】
例えば、芯部がポリエチレン樹脂（２．２ｄｔｅｘ、繊維長４４ｍｍ）で鞘部がポリプロピレン樹脂（２．６ｄｔｅｘ、繊維長５１ｍｍ）の芯鞘型の複合合成繊維で形成されたスルーエア不織布であり、その目付けは３０ｇ／ｍ２である。
【００４５】
〔開孔部〕
トップシート１０には、膣口対向部位の周辺において、複数の開孔部１２が設けられている。この開孔部１２を設けることは、体液の透過を迅速化できる点、トップシート１０のうち肌に当接する部分の面積が減少するために体液によるべたつき等の不快感を使用者に与えにくくなる点、高度な吸収力を備えることを使用者に対して視覚的に伝えることができる点で、好ましい。また、開孔部１２の位置を膣口対向部位の目安とすることができる点でも好ましい。
また、トップシート１０の液透過性、柔軟性、肌触りを向上させる点で、各々、賦形処理（例えば、噛みこみエンボス部の設置）、嵩の増加処理（例えば、加熱ロールによる）、柔軟化処理（例えば、揉み加工による）を行うことが好ましい。
【００４６】
［バックシート］
バックシート２０は、一般的に、ポリプロピレン、ポリエチレン、ポリエチレンテレフタレート、エチレンビニルアセテート等を単独で若しくは複合して得られる液不透過性の樹脂フィルム、防漏性の不織布、樹脂フィルムが貼り合わされた不織布、樹脂と紙とのラミネート材、樹脂フィルムにフィラー等を添加して延伸することで透湿性をもたせたもの、等の素材が好ましく用いられる。例えば、目付けが２３ｇ／ｍ２であるポリエチレンフィルムを挙げることができる。
【００４７】
［吸収体］
吸収体３０は、粉砕パルプ（例えば、木材パルプ）がラップ材３１（例えば、目付け１５ｇ／ｍ２のティッシュ）で被覆されている。吸収体３０としては、特に限定はされないが、例えば、エアレイドパルプ、親水性繊維を使用したスパンレース不織布やメルトブロン不織布、吸水紙、又はこれらが組み合わされたもの、デンプン重合体、アクリル酸系重合体、セルロース系等を挙げることができる。
【００４８】
吸収体３０は、例えば、高吸収性高分子（アクリル酸重合体部分ナトリウム塩架橋物）を３％含む針葉樹クラフトパルプである。また、吸収体３０の形状としては、特に限定されず、粒状、シート状、繊維状等を挙げることができる。
【００４９】
［圧着部］
圧着部４０は、吸収体３０の周縁部のうち、前述した膣口対向部位の周囲を除いて設けられている。圧着部４０は、例えば、吸収体の目付けが、膣口対向部位の周辺の領域において８００ｇ／ｍ２、その他の領域において４００ｇ／ｍ２となるように形成できる。
ここで、圧着部４０は、圧着部の周辺部位に高密度領域を形成できる限りにおいて特に限定されないが、例えば、熱エンボス、超音波溶着により形成できる。
【００５０】
［サイドシート］
サイドシート６０は、芯部がポリエチレン樹脂で鞘部がポリプロピレン樹脂の芯鞘型の複合合成繊維で形成された（混合率１：１）スパンボンド不織布であり、例えば目付けが２２ｇ／ｍ２である。
【００５１】
［感圧接着剤層］
センター感圧接着剤層８０、フラップ用感圧接着剤層８２、後方領域感圧接着剤層は、いずれも、ゴム系ホットメルト型接着剤、オレフィン系ホットメルト型接着剤、メカニカルファスナー、スチレンゴム系の滑り止め材等で構成できる。例えば、ゴム系ホットメルト型接着剤（塗布量は、２５ｇ／ｍ２）である。
【００５２】
本実施形態によれば、以下のような作用効果が得られる。
（Ａ）吸収体３０の周縁部を、圧着部４０を介してトップシート１０と一体化したので、吸収体３０に移行した体液がこの吸収体３０の周縁部から漏れること、及び、吸収体３０がよれることにより使用者に不快感を与えることを防止できる。
【００５３】
（Ｂ）圧着部４０を膣口対向部位の周囲には設けなかったので、膣口対向部位近傍におけるトップシート１０が張力の小さい状態に保たれる。このため、膣口対向部位近傍におけるトップシート１０の自由度が高いので、使用者膣口部の形状変化に対して追従できる。
【００５４】
（Ｃ）圧着部４０を膣口対向部位の周囲には設けなかったので、膣口対向部位近傍における吸収体３０は圧縮されずに柔軟性の高い状態に保たれる。このため、使用者膣口部の嵩方向における形状変化に対して追従できる。
【００５５】
（Ｄ）生理用ナプキン１を、前述の圧縮特性試験における４０ｇ／ｃｍ２荷重時の圧縮位相差が３ｍｍ以上、ＫＥＳ圧縮特性試験機によるＷＣ値が６．０以上、ＬＣ値が０．６５以下とした。このため、生理用ナプキン１は柔軟性に優れるから、使用者の膣口部１０００に密着しやすいので、体液の漏れを充分に防止できる。
なお、従来技術に係る生理用ナプキン１００によれば、柔軟性に劣るから、使用者の膣口部１０００に密着しにくいので、体液の漏れを充分には防止できない。
【００５６】
＜第２実施形態＞
図６は、本発明の第２実施形態の生理用ナプキン１Ａを示すものであり、膣口対向部位の周辺における斜視断面図である。図７は、本発明の第２実施形態の生理用ナプキン１Ａの吸収体３０Ａを平面状に展開した状態を肌側表面から示す平面図である。
【００５７】
本実施形態では、吸収体３０Ａの構造が第１実施形態と異なる。
即ち、吸収体３０Ａには、この周縁部のうちの圧着部４０が除かれている部位に、トップシート１０Ａを伴わずに圧縮して形成される熱エンボス部３２（エンボス部の一例）が設けられている。
また、膣口対向部位の周辺において、トップシート１０Ａと吸収体３０Ａとの間にセカンドシート４２が設けられている。トップシート１０Ａとセカンドシート４２とは、熱エンボス部３２を介して一体化されている。
【００５８】
［エンボス部］
吸収体３０Ａに設けられた熱エンボス部３２の各々は、吸収体３０Ａの中心方向に向けて膨らむ略円弧状である。そして、熱エンボス部３２の各々が最も近接する点同士の間には膣口対向部位が介在し、この最近接距離（図中のＬｅ）は５５ｍｍである。
【００５９】
［セカンドシート］
セカンドシート４２は、液透過性があり、フィット性向上の点からクッション性及び嵩維持性に優れ、且つ、熱融着成分を含んでいることが好ましい。具体的には、ポリプロピレン、ポリエチレン又はこれらの複合繊維からなる不織布（例えば、スルーエア不織布）、フィルム、多孔性プラスティックフィルム、多孔性フォーム等の化学繊維等を挙げることができる。嵩高性及び柔軟性の点からは、高デニールの中空繊維等が好ましい。また、熱融着成分としては、ポリプロピレン、ポリエチレン、ポリエステル、ポリビニリデン、アクリル樹脂、ナイロン樹脂等が挙げられる。
【００６０】
セカンドシート４２は、例えば、芯部がポリエチレン樹脂で、鞘部がポリプロピレン樹脂の芯鞘型の複合合成繊維で形成されたスルーエア不織布（５．５ｄｔｅｘ、繊維長５１μｍ）であり、その目付けは２０ｇ／ｍ２である。セカンドシート４２としては、その他、レーヨン繊維（３．３ｄｔｅｘ、繊維長５１ｍｍ）が開繊されたスライパー、ポリエチレン／ポリプロピレン繊維（３．３ｄｔｅｘ）からなる連続繊維（ＴＯＷ）が平坦シート上に配置されたもの、交絡や熱融着等を施していない繊維シート等を使用できる。
【００６１】
また、セカンドシート４２は、体液のトップシート１０からの移行の誘導性を向上させるために、親水性の高い素材で構成することが好ましく、スパンレース又はパルプ混スパンレース等を用いたり、油剤等で親水処理したりすればよい。
【００６２】
セカンドシート４２の厚みは、小さすぎるとフィット性が悪化する一方、大きすぎるとセカンドシート４２内での体液の移行速度が低下する結果、吸収速度が低下する。そこで、セカンドシート４２の厚みは、３ｇ／ｃｍ２荷重下において０．１ｍｍ以上３ｍｍ以下であることが好ましい。より好ましくは、０．３ｍｍ以上２ｍｍ以下である。
セカンドシート４２の厚みは、セカンドシート４２を重ねる、折り返す、エンボスによる賦形を行う、折り返したセカンドシート４０の間に伸縮材を貼り付けてセカンドシート４２の上層を持ち上げる等の手法で、増加させてもよい。
【００６３】
セカンドシート４２の密度は、小さすぎるとトップシート１０Ａからの経血の移行性が低下する一方、大きすぎるとセカンドシート４０内での体液の移行速度が低下する結果、吸収速度が低下する。そこで、セカンドシート４０の密度は、０．０３ｇ／ｃｍ３以上０．２４ｇ／ｃｍ３以下であることが好ましい。より好ましくは、０．０８ｇ／ｃｍ３以上０．２ｇ／ｃｍ３以下である。
ただし、トップシート１０Ａの密度が０．２４ｇ／ｃｍ３を超える場合には、充分な密度勾配を形成する点から、セカンドシート４２の密度をトップシート１０Ａの密度以上とすることが好ましい。
【００６４】
なお、セカンドシート４２として着色（例えば、青色）されたものを用いると、使用者はこのセカンドシート４２を透視できるので、膣口対向部位の概略的位置を把握できる。
【００６５】
本実施形態によれば、前述した（Ａ）、（Ｂ）、（Ｄ）に加えて、以下のような作用効果が得られる。
（Ｅ）吸収体３０Ａの周縁部のうちの圧着部４０が除かれている部位に、熱エンボス部３２を形成したので、使用者から生理用ナプキン１Ａの幅方向中心側に力が付加された場合、吸収体３０Ａが熱エンボス部３２において屈曲することにより、シワや不規則な座屈等の発生は抑制される。このため、シワや不規則な座屈等に起因する吸収体３０Ａと膣口との隙間の発生を妨げることができ、換言すれば、使用者の膣口との密着性を維持できる。
【００６６】
（Ｆ）トップシート１０Ａを伴わずに熱エンボス部３２を形成したので、膣口対向部位近傍におけるトップシート１０Ａは張力の小さい状態に保たれる。このため、膣口対向部位近傍におけるトップシート１０Ａの自由度は高いので、使用者膣口部の形状変化に対して追従できる。
【００６７】
＜第３実施形態＞
図８は、本発明の第３実施形態の生理用ナプキン１Ｂを示すものであり、外力が作用していない自由状態を示す斜視図である。図９は、この生理用ナプキン１Ｂを平坦な状態に展開した状態を肌側表面から見た平面図である。図１０は、図９のＶ−Ｖ線の横断面図である。図１１は、図９のＸ１線の横断面図である。
【００６８】
本実施形態では、吸収体３０Ｂの構造が第１〜第２実施形態と異なる。
即ち、吸収体３０Ｂには、この周縁部のうちの圧着部４０が除かれている部位に、仮止めエンボス部３４が設けられている。この仮止めエンボス部３４を介して、トップシート１０Ａと吸収体３０Ｂとは、所定の剥離強度で互いに係止されている。
【００６９】
ここで、トップシート１０Ｂと吸収体３０Ｂとを仮止めするとは、極めて弱い係止力で、トップシート１０Ｂと吸収体３０Ｂとを一体に賦形することを指し、圧着部４０のように融着等された構造とは明確に異なる。
【００７０】
［仮止めエンボス部］
吸収体３０Ｂに設けられた仮止めエンボス部３４の各々は、吸収体３０Ｂの中心方向に向けて膨らむ略円弧状である。そして、仮止めエンボス部３２の各々が、最も近接する点同士の間には膣口対向部位があり、この最近接距離（図中のＬｆ）は５５ｍｍである。
【００７１】
〔剥離強度〕
前述した所定の剥離強度は、小さすぎると使用前にトップシート１０Ｂと吸収体３０Ｂとが剥離するおそれがあるので好ましくない。一方、大きすぎると使用中にトップシート１０Ｂと吸収体３０Ｂとが剥離しないため、事実上、周縁部全域に亘って圧着部を設けた従来技術（特許文献１参照）に等しく、膣口の陰唇等の形状変化に対する追従性が悪化するので、好ましくない。
ここで、仮止めエンボス部３４により係止されたトップシート１０Ｂと吸収体３０Ｂとの剥離強度は、１０ｍＮ／２５ｍｍ以上２００ｍＮ／２５ｍｍ以下である（好ましくは、１５ｍＮ／２５ｍｍ以上１５０ｍＮ／２５ｍｍ以下）。
【００７２】
なお、トップシート１０Ｂと吸収体３０Ｂとの間にラップ材が介在する場合においては、トップシート１０Ｂと吸収体３０Ｂとが剥離することは、トップシート１０Ｂ及び／又は吸収体３０Ｂがラップ材から剥離することを意味する。
【００７３】
本実施形態によれば、前述した（Ａ）〜（Ｄ）に加えて、以下のような作用効果が得られる。
（Ｇ）トップシート１０Ｂと吸収体３０Ｂとの剥離強度が、１０ｍＮ／２５ｍｍ以上２００ｍＮ／２５ｍｍ以下となるように仮止めエンボス部３４を設けた。このため、トップシート１０Ｂと吸収体３０Ｂとは、使用前に剥離するおそれが小さく、且つ、使用中に生理用ナプキン１Ｂ幅方向中心側に力が付加された場合には容易に剥離するため、トップシート１０Ｂの自由度が回復するので、膣口部の形状変化に対してより追従できる。
【００７４】
（Ｈ）使用者は、仮止めエンボス部３４の形状から膣口対向部位の概略的位置を把握でき、適切に生理用ナプキン１Ｂを使用できる。
【００７５】
＜第４実施形態＞
図１２は、本発明の第４実施形態の生理用ナプキン１Ｃを示すものであり、外力が作用していない自由状態を示す斜視図である。図１３は、この生理用ナプキン１Ｃを平坦な状態に展開した状態を肌側表面から見た平面図である。図１４は、図１３のＸ１線の横断面図である。図１５は、図１３のＶＩＩ−ＶＩＩ線の横断面図である。図１６は、図１２のＯｙ線の縦端面図である。
【００７６】
本実施形態では、ギャザーカフス５０が更に設けられている点で、第１〜第３実施形態と異なる。
即ち、生理用ナプキン１Ｃは、この肌側表面における幅方向の両側縁部にギャザーカフス５０を備える。このギャザーカフス５０は、生理用ナプキン１Ｃの縦方向に、膣口対向部位を跨ぐように設けられている。また、ギャザーカフス５０には弾性伸縮部材５２が設けられ、ギャザーカフス５０が使用者の肌側に起立するように構成されている。
【００７７】
［ギャザーカフス］
ギャザーカフス５０は、例えば、疎水性又は撥水性の不織布材料、液不透過性のプラスチックシートで構成できる。ギャザーカフス５０は、例えばホットメルト型接着剤により、生理用ナプキン１Ｃに固定できる（例えば、塗布量は５ｇ／ｍ２）。
【００７８】
［弾性伸縮部材］
弾性伸縮部材５２は、例えば、繊維度４２０ｄｔｅｘのポリウレタン弾性糸で構成できる。また、弾性伸縮部材５２は、特に限定されないが、膣口対向部位を基準として、前方１０ｍｍ以上８０ｍｍ以下（例えば、６０ｍｍ）の地点から、後方側に４０ｍｍ以上２００ｍｍ以下（例えば、１８０ｍｍ）の長さに亘って設け、弾性伸縮部材５２の各々の弾性応力の合計が０．０５Ｎ以上２Ｎ以下（例えば、０．５Ｎ）とすることができる。弾性伸縮部材５２の各々の弾性応力の合計が小さすぎると、トップシート１０Ｃを膣口側に隆起しない。一方、大きすぎると、生理用ナプキン１Ｃ全体が屈曲しすぎるため、使用しがたくなる。
【００７９】
本実施形態によれば、前述した（Ａ）〜（Ｄ）に加えて、以下のような作用効果が得られる。
（Ｉ）生理用ナプキン１Ｃの長手方向において、膣口対向部位を跨ぐように弾性伸縮部材５２を設けたので、膣口対向部位方向に長手方向の力が付加される。このため、長手方向の曲げ剛性の差異によって、圧縮部４０を設けていない膣口対向部位近傍（図１６において破線で囲んだ領域α）におけるトップシート１０Ｃが使用者の膣口側に隆起する。弾性伸縮部材５２が伸縮することで、この隆起が膣口の陰唇等の形状の変化に応じて調節されるので、使用者膣口部の形状変化に対してより追従できる。
【００８０】
なお、本発明は前記実施形態に限定されるものではなく、本発明の目的を達成できる範囲での変形、改良等は本発明に含まれるものである。例えば、以下の変形例を挙げることができる。
【００８１】
［変形例１］
図１７は、本発明の第４実施形態の変形例１に係る生理用ナプキン１Ｄを示すものであり、膣口対向部位の周辺における横断面図である。
【００８２】
本変形例では、弾性伸縮部材５６の設置位置において、第４実施形態と異なる。
即ち、生理用ナプキン１Ｄは、吸収体３０Ｄとバックシート２０との間に弾性伸縮部材５６を備える。この弾性伸縮部材５６は、固定シート５４に包摂されることで、固定されている。そして、この弾性伸縮部材５６は、生理用ナプキン１Ｄの縦方向に、膣口対向部位を跨ぐように設けられている。
【００８３】
固定シート５４は、特に限定されないが、ポリプロピレン樹脂で形成されたスパンボンド不織布であり、その目付けは２２ｇ／ｍ２である。
【００８４】
［変形例２］
図１８は、本発明の第４実施形態の変形例２の生理用ナプキン１Ｅを示すものであり、膣口対向部位の周辺における横断面図である。
【００８５】
本変形例では、弾性伸縮部材５８の設置位置において、第４実施形態と異なる。
即ち、トップシート１０Ｅは、この幅方向の両側縁部において吸収体３０Ｅ側に折り返されている。そして、弾性伸縮部材５８は、折り返されたトップシート１０Ｅに包摂されることで、固定されている。この弾性伸縮部材５８は、生理用ナプキン１Ｅの縦方向に、膣口対向部位を跨ぐように設けられている。
【００８６】
上記の変形例１又は２によれば、膣口対向部位を跨ぐように弾性伸縮部材５６、５８を各々設けたので、第４実施形態と同様の作用効果を奏する。
【図面の簡単な説明】
【００８７】
【図１】本発明の第１実施形態の吸収性物品の自由状態を示す斜視図である。
【図２】本発明の第１実施形態に係る吸収性物品を平面状に展開した状態を肌側表面から示す平面図である。
【図３】図２のＩＩＩ−ＩＩＩ線の斜視断面図である。
【図４】図２のＸ１線の斜視断面図である。
【図５】本発明の第１実施形態の吸収性物品が身体に装着された状態を示す説明図である。
【図６】本発明の第２実施形態の吸収性物品の膣口対向部位周辺における斜視断面図である。
【図７】本発明の第２実施形態に係る吸収性物品を平面状に展開した状態を肌側表面から示す平面図である。
【図８】本発明の第３実施形態の吸収性物品の自由状態を示す斜視図である。
【図９】本発明の第３実施形態に係る吸収性物品を平面状に展開した状態を肌側表面から示す平面図である。
【図１０】図９のＶ−Ｖ線の横断面図である。
【図１１】図９のＸ１線の横断面図である。
【図１２】本発明の第４実施形態の吸収性物品の自由状態を示す斜視図である。
【図１３】本発明の第４実施形態に係る吸収性物品を平面状に展開した状態を肌側表面から示す平面図である。
【図１４】図１３のＸ１線の横断面図である。
【図１５】図１３のＶＩＩ−ＶＩＩ線の横断面図である。
【図１６】図１２のＯｙ線の縦端面図である。
【図１７】本発明の第４実施形態の変形例１に係る吸収性物品を示すものであり、膣口対向部位の周辺における横断面図である。
【図１８】本発明の第４実施形態の変形例２に係る吸収性物品を示すものであり、膣口対向部位の周辺における横断面図である。
【図１９】従来技術に係る生理用ナプキンが身体に装着された状態を示す参考図である。
【図２０】ＫＥＳの一般的圧縮特性を示す図である。
【符号の説明】
【００８８】
１  生理用ナプキン（吸収性物品）
１０  トップシート
２０  バックシート
３０  吸収体
３２  熱エンボス部（エンボス部）
４０  圧着部
５２、５６、５８  弾性伸縮部材
Ｏｙ  長手方向中心線
Ｘ１  膣対向基準線
【図１】
2007089819.tif 000003
【図２】
2007089819.tif 000004
【図３】
2007089819.tif 000005
【図４】
2007089819.tif 000006
【図５】
2007089819.tif 000007
【図６】
2007089819.tif 000008
【図７】
2007089819.tif 000009
【図８】
2007089819.tif 000010
【図９】
2007089819.tif 000011
【図１０】
2007089819.tif 000012
【図１１】
2007089819.tif 000013
【図１２】
2007089819.tif 000014
【図１３】
2007089819.tif 000015
【図１４】
2007089819.tif 000016
【図１５】
2007089819.tif 000017
【図１６】
2007089819.tif 000018
【図１７】
2007089819.tif 000019
【図１８】
2007089819.tif 000020
【図１９】
2007089819.tif 000021
【図２０】
2007089819.tif 000022